(57)【要約】
【課題】蓋を簡単に外すことができる熱可塑性プラスチックの容器。
【解決手段】容器１が軟質の熱可塑性プラスチックから身２と、硬質の熱可塑性プラスチックからなる蓋３とを含み、蓋３の第３、第４側壁部２８，２９の縁部３３が身２の周壁７の内側に嵌合する。身２と蓋３の周壁７，２７のそれぞれは、身２と蓋３の長さ２を二等分する中心線Ｃ−Ｃよりも身２の第１端縁部１１寄りの第１拡幅部位１６と蓋３の第３端縁部３１寄りの第２拡幅部位３８とを有する。第１、第２拡幅部位１６，３８の位置は互いに符合し、これら拡幅部位１６，３８において、蓋３の縁部３３が身２の周壁７の内側に密着する。
【選択図】図２
0003101455.tif 000002
【実用新案登録請求の範囲】
【請求項１】
縦方向と前記縦方向に直交して横へ延びる幅方向とを有し、軟質の熱可塑性プラスチックからなる身と硬質の熱可塑性プラスチックからなる蓋とを含み、前記身に形成された周壁の縁部内側に前記蓋に形成された周壁の縁部が嵌合し、前記蓋の縁部は前記縦方向における少なくとも一部分が前記身の縁部内側に密着し、前記一部分の近傍において前記身をその幅が狭くなるように前記幅方向へ弾性変形させると、前記蓋が前記身から外れる熱可塑性プラスチックからなる容器であって、
前記身の周壁は、前記縦方向へ互いに並行して延びる第１、第２側壁部と前記幅方向へ延びる第１、第２端壁部とからなり、前記第１、第２側壁部の離間寸法が、前記第１端壁部寄りに形成される第１拡幅部位において最も大きく、前記第１拡幅部位から前記第１端壁部と第２端壁部とに向かうにしたがって次第に小さくなるように形成され、前記蓋の周壁は、前記身の周壁と嵌合するときに前記第１、第２側壁部、前記第１、第２端壁部および前記第１拡幅部位のそれぞれに符合する第３、第４側壁部、第３、第４端縁部および第２拡幅部位を有しており、前記身は前記身の周壁の厚さが前記第１拡幅部位において部分的に特に厚く形成され、前記蓋は前記第２拡幅部位における周壁の縁部が前記第１拡幅部位における周壁の縁部内側に密着していることを特徴とする前記容器。
【請求項２】
前記第１端縁部と前記第３端縁部とのそれぞれには、互いに嵌合した前記身と前記蓋とによってこれら身と蓋との境界に沿って前記幅方向へ延びる蟻ほぞ形状の第１レールを形成するレール半体が設けられているとともに、前記第１端縁部には前記第１レールの延長上にある第２レールが設けられており、前記第２レールには前記第１レールに対する進入と退出とが可能なスライダーが前記第２レールの外側から嵌合している請求項１記載の容器。
【請求項３】
前記第１レールには、進入した前記スライダーの前記第２レールへの退出を一時的に阻止可能な前記スライダーに対する第１ブレーキ手段が形成されている請求項１または２記載の容器。
【請求項４】
前記第２レールには、退出した前記スライダーの前記第１レールへの進入を一時的に阻止可能な前記スライダーに対する第２ブレーキ手段が形成されている請求項２または３記載の容器。
【請求項５】
前記第１、第２ブレーキ手段が前記第１、第２レールの幅を局部的に広くすることにより形成されている請求項４記載の容器。
【考案の詳細な説明】
【技術分野】
【０００１】
この考案は、身と蓋とからなり、ゴルフティー等の小物を入れるのに好適な熱可塑性プラスチックからなる容器に関する。
【背景技術】
【０００２】
特開２００２−１７９１１１号公報（特許文献１）に開示された蓋付き容器は、縦方向に長く形成されたものであって、軟質の弾性材料からなる身と、硬質の弾性材料からなる蓋とを有する。身に形成された両側壁部を身の幅が小さくなるように押圧して変形させると、その変形に追随することができない硬質の蓋が身から外れて容器の中のものを取り出すことができる。
【特許文献１】特開２００２−１７９１１１号公報
【考案の開示】
【考案が解決しようとする課題】
【０００３】
特許文献１に記載された蓋付き容器は、その長さ方向の中央部を容器の幅が狭くなるように変形させて蓋を外すものであるが、この文献１に例示の容器は、その中央部において幅が狭く、長さ方向の両端部において幅が広くなるように成形されている。かかる容器は、その設計の如何にもよるが、中央部を押圧して変形させても、その変形が両端部にまでは及び難くて、蓋が身から外れ難いということがある。
【０００４】
そこで、この考案は、熱可塑性プラスチックからなる身と蓋とを含む容器において、幅が狭くなるように身を変形させたときに、蓋が身から簡単に外れるように改良を施すことを課題にしている。
【課題を解決するための手段及び考案の効果】
【０００５】
前記課題を解決するために、この考案が対象とするのは、縦方向と前記縦方向に直交して横へ延びる幅方向とを有し、軟質の熱可塑性プラスチックからなる身と硬質の熱可塑性プラスチックからなる蓋とを含み、前記身に形成された周壁の縁部内側に前記蓋に形成された周壁の縁部が嵌合し、前記蓋の縁部は前記縦方向における少なくとも一部分が前記身の縁部内側に密着し、前記一部分の近傍において前記身をその幅が狭くなるように前記幅方向へ弾性変形させると、前記蓋が前記身から外れる熱可塑性プラスチックからなる容器である。
【０００６】
かかるプラスチック製容器において、この考案が特徴とするところは、次のとおりである。前記身の周壁は、前記縦方向へ互いに並行して延びる第１、第２側壁部と前記幅方向へ延びる第１、第２端壁部とからなり、前記第１、第２側壁部の離間寸法が前記第１端壁部寄りに形成される第１拡幅部位において最も大きく、前記第１拡幅部位から前記第１端壁部と第２端壁部とに向かうにしたがって次第に小さくなるように形成されている。前記蓋の周壁は、前記身の周壁と嵌合するときに前記第１、第２側壁部、前記第１、第２端壁部および前記第１拡幅部位のそれぞれに符合する第３、第４側壁部、第３、第４端縁部および第２拡幅部位を有する。前記身は、前記身の周壁の厚さが前記第１拡幅部位において部分的に特に厚く形成され、前記蓋は、前記第２拡幅部位における周壁の縁部が前記第１拡幅部位における周壁の縁部内側に密着している。
【０００７】
このような構成の容器では、第１、第２側壁部の離間寸法が最も大きい第１拡幅部位において、変形容易な軟質の熱可塑性プラスチックからなる身をその幅が狭くなるように変形させると、第１拡幅部位と第１端縁部との間においても、身はその幅が急激に狭くなるように変形し、その変形に追随できない硬質のプラスチックからなる蓋が第２拡幅部位から第３端壁部へ至る間において身から簡単に外れる。
【０００８】
この考案の実施態様の一つにおいて、前記第１端縁部と前記第３端縁部とのそれぞれには、互いに嵌合した前記身と前記蓋とによってこれら身と蓋との境界に沿って前記幅方向へ延びる蟻ほぞ形状の第１レールを形成するレール半体が設けられているとともに、前記第１端縁部には前記第１レールの延長上にある第２レールが設けられており、前記第２レールには前記第１レールに対する進入と退出とが可能なスライダーが前記第２レールの外側から嵌合している。
【０００９】
このような構成の容器では、スライダーの第１レールに対する進入によって身と蓋とをロック状態にすることができ、スライダーの第１レールに対する退出によって身と蓋とのロック状態を解くことができる。
【００１０】
この考案の実施態様の一つにおいて、前記第１レールには、進入した前記スライダーの前記第２レールへの退出を一時的に阻止可能な前記スライダーに対する第１ブレーキ手段が形成されている。
【００１１】
このような構成の容器では、スライダーが第１レールへ進入すると、第１レールに形成されているブレーキ手段がスライダーに作用してスライダーは不必要に第２レールへ退出することがないから、蓋が思わぬときに身から外れるということがない。
【００１２】
この考案の実施態様の他の一つにおいて、前記第２レールには、退出した前記スライダーの前記第１レールへの進入を一時的に阻止可能な前記スライダーに対する第２ブレーキ手段が形成されている。
【００１３】
このような構成の容器では、スライダーが第２レールへ退出すると、第２レールに形成されているブレーキ手段がスライダーに作用してスライダーは不必要に第１レールへ進入することがないから、スライダーは蓋を身から外すときの操作の邪魔になるということがない。
【００１４】
この考案の実施態様の他の一つにおいて、前記第１、第２ブレーキ手段が前記第１、第２レールの幅を局部的に広くすることにより形成されている。
【００１５】
このような態様の容器では、第１、第２レールの幅を広くした部位が進入または退出したスライダーに接触することでスライダーの退出または進入を一時的に阻止することができる。
【考案を実施するための最良の形態】
【００１６】
添付の図面を参照して、この考案に係る熱可塑性プラスチックの容器の詳細を説明すると、以下のとおりである。
【００１７】
図１，２は、容器１の斜視図と分解斜視図である。容器１は、縦方向に長く形成されており、身２と、蓋３と、スライダー４とを有する。
【００１８】
身２は、弾性を有する軟質熱可塑性プラスチックの成形品であって、底６と周壁７とを有し、周壁７が縦方向へ互いに並行して延びる第１、第２側壁部８，９と、縦方向に直交する横方向、すなわち容器１の幅方向へ延びる第１、第２端壁部１１，１２とを有する。第１、第２側壁部８，９は、それらの離間寸法である身２の幅が身２と蓋３との長さを二等分する中心線Ｃ−Ｃよりも第１端壁部１１寄りの第１拡幅部位１６において最も大きくなり、第１拡幅部位１６から第１端壁部１１と第２端壁部１２とに向かって次第に小さくなるように、湾曲ないし屈曲している。かような身２の幅は、片手で握ることができる程度の寸法を有することが好ましい。第１、第２側壁部８，９は、ほぼ一様な厚さを有するが、第１拡幅部位１６では一部分２０が容器１の内側に向かってふくらみ、ここだけが特に厚く作られている。第１拡幅部位１６の外面には、指を当てたときの滑り止めとなる複数条の隆起部１７が形成されている。第１端壁部１１には、幅方向へ延びる第１レール半体２１ａと第２レール２２とが形成されている。第２端壁部１２には、一対の貫通孔２３が形成されている。
【００１９】
蓋３は、弾性を有する硬質熱可塑性プラスチックの成形品であって、頂部２６と周壁２７とを有し、周壁２７が縦方向へ互いに並行して延びる第３、第４側壁部２８，２９と、幅方向へ互いに並行して延びる第３、第４端壁部３１，３２とを有する。周壁２７は、身２の周壁７の内側に嵌合する縁部３３と、周壁７の端面３４に当接する段部３６とを有する（図４参照）。第３端壁部３１には、第１レール半体２１ｂが形成され、第４端壁部３２には、一対のヒンジ用の爪３７が形成されている。爪３７は、図２において、逆Ｌ字形を画くように下端部が屈曲している。第３、第４側壁部２８，２９およびそれらの縁部３３は、中心線Ｃ−Ｃよりも第３端壁部３１寄りの第２拡幅部位３８において蓋３の幅がもっとも大きくなり、第２拡幅部位３８から第３端壁部３１と第４端壁部３２とに向かって次第に幅が小さくなるように湾曲ないし屈曲している。図１の如く蓋３が身２に嵌合するときに、身２の第１、第２側壁部８，９、第１、第２端壁部１１，１２および第１拡幅部位１６のそれぞれは、蓋３の第３、第４側壁部２８，２９、第３、第４端壁部３１，３２および第２拡幅部位３８のそれぞれと符合する。
【００２０】
スライダー４は、弾性を有する硬質熱可塑性プラスチック、例えば蓋３を形成している熱可塑性プラスチックと同じもので形成されている。スライダー４は、フック部４１と蟻溝形状の溝部４２とを有し、溝部４２が身２の第２レール２２に外側から嵌合して、容器１の幅方向へ摺動可能である（図３、４を併せて参照）。
【００２１】
このように形成された身２と、蓋３と、スライダー４とにおいて、蓋３の一対の爪３７を、それがヒンジとして作用できるように、身２の内側から一対の貫通孔２３に納めて蓋３を閉じると、爪３７の下端部が貫通孔２３の周縁部に外側から引っ掛るとともに、蓋３の縁部３３が身２の周壁７の内側に納まり、それと同時に蓋３における第１レール半体２１ｂが身２の第１レール半体２１ａと平行に並んで身２の第２レール２２につながる蟻ほぞ形状の第１レール２１を形成する（図３参照）。また、蓋３における第２拡幅部位３８の縁部３３どうしの間の外寸は、身２における第１拡幅部位１６の第１、第２側壁部８，９どうしの間の内寸よりもやや大きく、蓋３が身２に嵌合するときには、身２の第１拡幅部位１６において、第１、第２側壁部８，９が容器１の外側へ向かって弾性変形し、身２の第１、第２側壁部８，９と蓋３の縁部３３とが密着する。
【００２２】
図３は、蓋３が閉じた状態にある容器１の一部分を破断して示す図である。身２の第１端壁部１１と蓋３の第３端壁部３１との間では、両部１１，３１の境界４１に沿って第１レール半体２１ａと２１ｂとが平行に並んで第１レール２１を形成し、この第１レール２１には、身２に形成されている第２レール２２がつながっている。図において溝部４２が第２レール２２に対して外側から嵌合しているスライダー４は、第１レール２１に対して進入、退出するように矢印Ａ方向とその反対方向とへ移動可能であり、矢印Ａ方向へ移動すると仮想線の状態となって、身２と蓋３とがロックされた状態になる。スライダー４が実線の状態にある身２と蓋３とは、ロックさていないから、蓋３を自由に外すことができる。なお、仮想線のスライダー４は、図１のスライダー４と同じ位置にある。
【００２３】
図４は、図３のＩＶ−ＩＶ線に沿う切断面を示す図であるが、図２において仮想線で示されたスライダー４が、図３では実線で示されている。身２の第１レール半体２１ａと蓋３の第１レール半体２１ｂとが並んで第１レール２１を形成し、その第１レール２１にスライダー４が図示の如く進入すると、第１レール２１がスライダー４の溝部４２に嵌合し、第１レール半体２１ａと２１ｂとがスライダー４によって一体的に保持される。それゆえ、図４の状態にある容器１では、蓋３が身２から外れない。蓋３を外すには、スライダー４を第１レール２１から退出させて図３の実線の状態にすればよい。
【００２４】
図５は、第１レール２１と第２レール２２との頂面図であって、身２と蓋３も併せて示されているが、スライダー４は第１レール２１から退出した状態が仮想線で示されている。スライダー４の溝部４２は幅Ｙを有する一方（図４，５参照）、第１レール２１と第２レール２２とは幅Ｗを有し、その幅Ｗが第１レール２１と第２レール２２とがつながる容器１の幅方向中央部では溝部４２の幅Ｙよりも小さく、容器１の幅方向両端部近傍では幅Ｙとほぼ同じであるか、または幅Ｙよりも大きい。それゆえ、スライダー４が第１レール２１から退出して図５における第２レールの左端部に到達すると、第２レール２２がその幅方向においてスライダー４の溝部４２に接触して、スライダー４が第１レール２１へ進入することを一時的に阻止するブレーキとして作用する。ブレーキのかかったスライダー４は、指先で矢印Ａ方向へ押せば、ブレーキが外れて第１レール２１へ進入する。また、スライダー４が第１レール２１へ進入して図５における第１レール２１の右端部分に到達すると、第１レール２１がその幅方向においてスライダー４の溝部４２に接触して、スライダー４が退出することを一時的にするブレーキとして作用する。ただし、この発明は、第１レール２１および第２レール２２のいずれかのみでブレーキが作用する態様で実施することもできる。
【００２５】
かように構成された熱可塑性プラスチックの容器１は、身２と蓋３とをロック状態に保持しているスライダー４を第１レール２１から退出させてロックを解除し、しかる後に身２の第１、第２側壁部８，９における第１拡幅部位１６を図１に矢印Ｂ，Ｃで示される容器１の内側へ向かって押圧すると、身２は第１拡幅部位１６から第１端壁部１１へ至るまでの間の幅が急激に変化する一方、硬質熱可塑性プラスチックからなる蓋３は変形し難いので、幅の狭くなった身２からはじき出されるように簡単に外れる。かかる容器１では、蓋３を外すために押圧すべき部位が第１拡幅部位１６と第２拡幅部位３８として容器１の幅方向に局部的にふくらんでいるから、容器１を片手に持って指先の操作だけで蓋３を外そうとするときに、これらの拡幅部位１６，３８が指先にかかり易く、操作が容易である。スライダー４は、それが第１レール２１から退出しているときにブレーキがかかり、徒に第１レール２１へ進入することがないから、蓋３を外したりする操作では、スライダー４が勝手に動いてその操作の邪魔になるということがない。スライダー４のフック部４１は、容器１を吊り下げるときの手段となる。
【００２６】
この考案において、スライダー４にブレーキをかけるための手段は、図示例に限らず、第２レール２２および／またはスライダー４に適宜の係合部位を形成してそれをブレーキ手段とすることができる。この考案に係る熱可塑性プラスチックの容器は、その用途と大きさとが特に限定されるものではないが、ゴルフティー等の小物を入れるための、片手で持つことができる程度の大きさのものとして有用である。
【産業上の利用可能性】
【００２７】
この考案によれば、蓋を外すことが簡単な熱可塑性プラスチックからなる容器の製造が可能になる。
【図面の簡単な説明】
【００２８】
【図１】容器の斜視図。
【図２】容器の分解斜視図。
【図３】容器の部分図。
【図４】図３のＩＶ−ＩＶ線切断面を示す図。
【図５】第１レールと第２レールの頂面図。
【符号の説明】
【００２９】
１    容器
２    身
３    蓋
４    スライダー
７    周壁
８    第１側壁部
９    第２側壁部
１１    第１端壁部
１２    第２端壁部
１６    第１拡幅部位
２１    第１レール
２２    第２レール
２７    周壁
２８    第３側壁部
２９    第４側壁部
３１    第３端壁部
３２    第４端壁部
３３    縁部
３８    第２拡幅部位
【図１】
0003101455.tif 000003
【図２】
0003101455.tif 000004
【図３】
0003101455.tif 000005
【図４】
0003101455.tif 000006
【図５】
0003101455.tif 000007